(57)【要約】      （修正有）【課題】橋軸直角方向の変位を効果的に吸収し、また、角折れ機構をコンパクト化した橋梁添架ケーブルの伸縮及び角折れ吸収装置を提供すること。【解決手段】橋梁添架ケーブルの伸縮及び角折れ吸収装置は、橋梁ケーブルの両端を固定する第１及び第２のケーブル固定部と、前記第１及び第２のケーブル固定部に取り付けられた第１及び第２の球面軸受け部１と、前記第１及び第２の球面軸受け部を連結する連結ロッド２を備えている。【選択図】      図２
2007244184.tif 000002
【特許請求の範囲】
【請求項１】
橋梁添架ケーブルの両端を固定する第１及び第２のケーブル固定部と、
前記第１及び第２のケーブル固定部に取り付けられた第１及び第２の球面軸受け部と、
前記第１及び第２の球面軸受け部を連結する連結ロッドを備えたことを特徴とする橋梁添架ケーブルの伸縮及び角折れ吸収装置。
【請求項２】
前記第１及び第２の球面軸受け部は、前記第１及び第２のケーブル固定部に取付部材を介して取り付けられ、
前記第１及び第２の球面軸受け部は、前記連結ロッドに固定された第１のヒンジと、前記取付部材に固定された第２のヒンジと、前記第１及び第２のヒンジを回転できるように固定する連結ピン部材と、前記第１ヒンジと前記連結ピン部材の間に形成された球面軸受けを有することを特徴とする橋梁添架ケーブルの伸縮及び角折れ吸収装置。
【発明の詳細な説明】
【技術分野】
【０００１】
本発明は、橋梁添架ケーブルの伸縮及び角折れ吸収装置に関し、橋桁の水平面及び垂直面の変位に基づく橋梁添架ケーブルの伸縮及び角折れを効果的に吸収することができる橋梁添架ケーブルの伸縮及び角折れ吸収装置に関するものである。
【背景技術】
【０００２】
従来の角折れ吸収装置として、例えば、特許文献１に示されるものがある。この角折れ吸収装置は、橋梁の継ぎ目部分において、電力ケーブル添架枠の間に中間添架枠を設置し、この電力ケーブル添架枠と中間添架枠を中間にヒンジを設けた鉛直角折れ用シャフトで連結すると共に、この鉛直角折れ用シャフトと電力ケーブル添架枠に設けた水平角折れ用シャフトとをローラを有する突状の支持台によって摺動可能に連結し、さらに中間添架枠をその下方において両側の電力ケーブル添架枠から突出した支持部材により支持した構成を有する。
【０００３】
この構成において、例えば、鉛直方向に角度θの角折れがあると、その角折れは鉛直角折れ用シャフトのヒンジによって吸収される。同時に電力ケーブル添架枠が下方に所定量沈むが、鉛直角折れ用シャフトの先部と水平角折れ用シャフトとの連結点が上方に摺動し得るため、電力ケーブル添架枠が問題なく沈み得る。この時、支持部材上の支持台も角度θだけ傾く必要があるが、支持台の上部を突状にしておくことにより、支持部材上の支持台も容易に傾斜ができる。ここで、支持台と中間添架枠間に微小な変位が生ずるが、支持台の下面がローラにより摺動出来るため、問題は生じない。
【特許文献１】特許第２８７７４２９号公報
【発明の開示】
【発明が解決しようとする課題】
【０００４】
しかし、従来の角折れ吸収装置によると、鉛直角折れ用シャフトと水平角折れ用シャフトによって鉛直方向及び水平方向の角折れを吸収することはできるが、橋軸直角方向に発生する、例えば、地震時の変位を吸収することができない。また、例えば、鉛直及び水平方向の角折れを吸収するために、鉛直及び水平の角折れ用シャフトは、それぞれヒンジを有しているため、構成のコンパクト化に限度がある。更に、２つの電力ケーブル添架枠は、周囲の電力ケーブルを載置した構造となるため、小型・軽量化ができない。
【０００５】
従って、本発明の目的は、橋軸直角方向の変位を効果的に吸収し、また、角折れ機構をコンパクト化した橋梁添架ケーブルの伸縮及び角折れ吸収装置を提供することにある。  
【課題を解決するための手段】
【０００６】
本発明は、一態様において、橋梁添架ケーブルの両端を固定する第１及び第２のケーブル固定部と、前記第１及び第２のケーブル固定部に取り付けられた第１及び第２の球面軸受け部と、前記第１及び第２の球面軸受け部を連結する連結ロッドを備えた橋梁添架ケーブルの伸縮及び角折れ吸収装置を提供する。
また、本発明は、上記態様において、前記第１及び第２の球面軸受け部は、前記第１及び第２のケーブル固定部に取付部材を介して取り付けられ、前記第１及び第２の球面軸受け部は、前記連結ロッドに固定された第１のヒンジと、前記取付部材に固定された第２のヒンジと、前記第１及び第２のヒンジを回転できるように固定する連結ピン部材と、前記第１ヒンジと前記連結ピン部材の間に形成された球面軸受けを有するように構成することができる。
【発明の効果】
【０００７】
本発明によれば、橋軸直角方向の変位を効果的に吸収することができ、また、コンパクトな機構によって角折れを吸収することができる。
【発明を実施するための最良の形態】
【０００８】
図１（ａ）、（ｂ）は、本発明の一実施形態における橋梁添架ケーブルの伸縮及び角折れ吸収装置を示し、（ａ）は平面図であり、（ｂ）は側面図である。この橋梁添架ケーブルの伸縮及び角折れ吸収装置は、連結ロッド２の両端に球面軸受け部１を有し、球面軸受け部１は取付部材２０によってケーブル拘束部（図示せず）に取り付けられている。球面軸受け部１は、詳細は後述するが、第１及び第２のヒンジ１１、２１を有し、各ヒンジ１１、２１はピン頭部４１を有するピン本体４にナット４２を締結することによって回転できるように固定されている。
【０００９】
図２（ａ）、（ｂ）は、図１（ａ）、（ｂ）で示した橋梁添架ケーブルの伸縮及び角折れ吸収装置の球面軸受け部１の作用を示し、図２（ａ）は図１（ａ）に対応し、図２（ｂ）は図１（ｂ）に対応する。
【００１０】
図２（ａ）は、橋軸（ｘ軸）と直角（ｙ軸）方向、即ち水平方向に橋桁が移動したときの状態を示し、右側の取付部材２０の移動量が橋軸（ｘ軸）に対してｄ１である。図２（ｂ）は、橋軸（ｘ軸）と直角（ｚ軸）方向、即ち垂直方向に橋桁が移動したときの状態を示し、右側の取付部材２０の移動量が橋軸（ｘ軸）に対してｄ２である。勿論、移動量ｄ１及びｄ２が同時に発生することもあり、個別に発生することもある。
【００１１】
図３（ａ）は、図２（ｂ）の左端の球面軸受け部１を示す。球面軸受け部１は、連結ロッド２に基部１２が固定された第１のヒンジ１１と、第１のヒンジ１１に形成された受け部１４を有する透孔１３と、受け部１４に位置する球面部材３１が固定されたピン頭部４１を有するピン本体４と、取付部材２０に基部２２が固定された第２のヒンジ２１を有する。ピン本体４は第２のヒンジ２１の透孔２３を通されている。第１及び第２のヒンジ１１、２１は、前述したように、ｘ−ｚ平面において回転できるように、所定の間隙ｇを有してピン頭部４１を有するピン本体４にナット４２を締結することによって固定されている。ピン本体４は第１のヒンジ１１の受け部１４に位置する球面部材３１を有するので、前述したように、ｘ−ｙ平面においても回転することができる。
【００１２】
図３（ｂ）は、図３(ａ)で示した球面軸受け部１の変形例であり、図３（ａ）と同一の部分は同一の引用数字で示したので、重複する説明は省略するが、第１のヒンジ１１と球面部材３１は接触面１４を介して回転できるように接触することによりオイレスベアリング（オイレス工業株式会社の商標）を形成している。
【００１３】
図４（ａ）、（ｂ）は、本発明の一実施形態における橋梁添架ケーブルの伸縮及び角折れ吸収装置の変位量を演算した結果を示す。ここで、図１（ａ）、（ｂ）〜図３（ａ）、（ｂ）と同一の部分は、同一の引用数字で示したので、重複する説明は省略する。
【００１４】
図４（ａ）において、ケーブル拘束部８の間の距離は、Ｌ１＝４０００ｍｍとし、連結ロッド２の長さは、Ｌ２＝３０００ｍｍとし、球面軸受け部１とケーブル拘束部８の距離は、Ｌ３＝５００ｍｍとする。ここで、左右のケーブル拘束部８、左右の球面軸受け部１、及び連結ロッド２が位置する軸をｘ軸とし、左のケーブル拘束部８を原点とし、ｘ軸と直交して原点を通る軸をｙ軸とすると、ｘ軸は橋軸方向であり、ｙ軸は橋軸直角方向である。
【００１５】
図４（ｂ）において、左のケーブルの拘束部８に橋軸直角（ｙ軸）方向、即ち、水平方向に６００ｍｍの変位が生じた場合、左のケーブル拘束部８の橋軸（ｘ軸）方向の変位量ｍを演算する。図示より明らかな通り、左の球面受け軸部１は円弧Ｒ１上を円運動し、左のケーブル拘束部８は円弧Ｒ８上を円運動する。故に、変位量ｍは下記の式から求まる。
【００１６】
【数１】
2007244184.tif 000003
【００１７】
一方、図４（ｂ）に示した変位後のケーブル拘束部８の間の距離をＬとしたとき、距離Ｌは下記の式から求まる。
【００１８】
【数２】
2007244184.tif 000004
【００１９】
以上より、ケーブル拘束部８の間の距離Ｌ１の変化量をΔＬとしたとき、変化量ΔＬは１５ｍｍとなる。
【００２０】
【数３】
2007244184.tif 000005
【００２１】
以上から、本発明の一実施形態における橋梁添架ケーブルの伸縮及び角折れ吸収装置によると、６００ｍｍの橋軸直角（ｙ軸）方向の変位を、約１５ｍｍの橋軸（ｘ軸）方向の変位に置き換えることができる。
【００２２】
過去の実績によると、ケーブル拘束部８の間の距離Ｌ１が４０００ｍｍのケーブル布設線路において、約１５ｍｍの変位を吸収するためには、特別の吸収手段を設ける必要はなく、汎用的に用いられているスネーク布設方法を採用することによって十分に吸収することができる。
【００２３】
尚、円弧Ｒ１及びＲ８上の球面軸受け部１及びケーブル拘束部８の変位は、橋梁の変位によって生じるものであり、橋梁と相対的に生じる変位ではない。
【００２４】
図５（ａ）は、布設線路長が４０００ｍｍのときの１ピッチの汎用のスネーク布設方法を示す。図５（ａ）において、ケーブル９のスネーク幅をＳ１としたとき、スネーク幅Ｓ１は２００ｍｍである。
【００２５】
図５（ｂ）は、本発明の一実施形態における橋梁添架ケーブルの伸縮及び角折れ吸収装置（図示省略）に汎用のスネーク布設方法を組み合わせたケーブル布設線路を示し、図４（ａ）、（ｂ）で説明したように、橋軸直角（ｙ軸）方向に６００ｍｍの変位があったとき、橋軸（ｘ軸）方向の変位を約１５ｍｍとした場合であり、ケーブル９のスネーク幅をＳ２としたとき、スネーク幅Ｓ２を２５０ｍｍとすることにより約１５ｍｍの橋軸（ｘ軸）方向の変位を吸収することができる。従って、スネーク幅の変化は、Ｓ１−Ｓ２＝５０ｍｍの増加で良い。
【００２６】
図６は、図５（ｂ）において図示を省略した本発明の一実施形態における橋梁添架ケーブルの伸縮及び角折れ吸収装置と、図５（ｂ）に示した汎用のスネーク布設方法を組み合わせたケーブル布設線路を示し、矢印Ａによって示すように、図４（ｂ）に示した変位が生じた状態である。図６において、図１（ａ）、（ｂ）より図５（ａ）、（ｂ）に示した部分と同一の部分は同一の引用数字で示しているので、重複する説明は省略する。
【００２７】
以上説明した本発明の一実施形態における橋梁添架ケーブルの伸縮及び角折れ吸収装置において、一端あるいは両端の球面軸受け部１が円軌道を描くことができるので、連結ロッド２を長くした方が吸収できる変化量が大になる。しかし、連結ロッド２を長くする場合、布設されるケーブル９の種類にもよるが、ケーブル強度を考慮する必要がある。換言すれば、ケーブル強度の小さいケーブル９は、長さに制限が生じる。
【００２８】
本発明は以上説明した実施形態によって限定されることはない。例えば、スネークは２ピッチあるいはそれ以上であっても良い。
【図面の簡単な説明】
【００２９】
【図１】（ａ）は本発明の一実施形態における橋梁添架ケーブルの伸縮及び角折れ吸収装置を示す平面図であり、（ｂ）は本発明の一実施形態における橋梁添架ケーブルの伸縮及び角折れ吸収装置を示す側面図である。
【図２】（ａ）は図１（ａ）の橋梁添架ケーブルの伸縮及び角折れ吸収装置の作用を示す説明図であり、（ｂ）は図１（ｂ）の橋梁添架ケーブルの伸縮及び角折れ吸収装置の作用を示す説明図である。
【図３】（ａ）は球面軸受け部の一例を示す説明図であり、（ｂ）は球面軸受け部の他の例を示す説明図である。
【図４】（ａ）は本発明の一実施形態における橋梁添架ケーブルの伸縮及び角折れ吸収装置の一具体例を示す説明図であり、（ｂ）は本発明の一実施形態における橋梁添架ケーブルの伸縮及び角折れ吸収装置の変位を示す説明図である。
【図５】（ａ）は１ピッチのスネーク布設ケーブルを示す説明図であり、(ｂ)は橋梁に変位が生じた場合の１ピッチのスネーク布設ケーブルを示す説明図である。
【図６】本発明の一実施形態における橋梁添架ケーブルの伸縮及び角折れ吸収装置と１ピッチのスネーク布設ケーブルを組み合わせたケーブル線路の橋梁に変位が生じた場合を示す説明図である。
【符号の説明】
【００３０】
１      球面軸受け部
２      連結ロッド
４      ピン本体
８      ケーブル拘束部
１１      第１のヒンジ
１２      基部
１３      透孔
１４      受け部
２０      取付部材
２１      第２のヒンジ
２２      基部
２３      透孔
３１      球面部材
４１      ピン頭部
４２      ナット
【図１】
2007244184.tif 000006
【図２】
2007244184.tif 000007
【図３】
2007244184.tif 000008
【図４】
2007244184.tif 000009
【図５】
2007244184.tif 000010
【図６】
2007244184.tif 000011